【手続補正書】
【提出日】平成19年5月31日(2007.5.31)
【手続補正１】
【補正対象書類名】明細書
【補正対象項目名】全文
【補正方法】変更
【補正の内容】
【書類名】  明細書
【発明の名称】  電気掃除機用伸縮パイプおよび電気掃除機
【特許請求の範囲】
【請求項１】  第一の通気管内を軸方向に摺動自在に伸縮動作する第二の通気管を有し、前記各通気管には、電動送風機へ吸引される吸気の吸気通路と、前記電動送風機から排出される排気の排気通路を設け、前記第一の通気管内部には、前記第二の通気管の排気通路内に挿入され軸方向に摺動して排気通路となる排気管を備え、前記第一の通気管内部の排気管を除く部分を吸気通路とし、前記第二の通気管の吸気通路と連通し、前記排気通路内に螺旋状の導電体を設け、前記導電体の両端部には直線部を有し、前記螺旋状の導電体の前記排気管の前記第二の通気管側での固定位置は、前記直線部の距離が螺旋部の終端から、前記導電体の外径の１２倍以下の範囲の間で固定させ、第一の通気管と第二の通気管の伸縮に伴い前記導電体の螺旋部が伸縮する電気掃除機用伸縮パイプ。
【請求項２】  第一の通気管内を軸方向に摺動自在に伸縮動作する第二の通気管を有し、前記各通気管には、電動送風機へ吸引される吸気の吸気通路と、前記電動送風機から排出される排気の排気通路を設け、前記第一の通気管内部には、前記第二の通気管の排気通路内に挿入され軸方向に摺動して排気通路となる排気管を備え、前記第一の通気管内部の排気管を除く部分を吸気通路とし、前記第二の通気管の吸気通路と連通し、前記排気通路内に螺旋状の導電体を前記排気管の中央付近を通る位置に配置し、第一の通気管と第二の通気管の伸縮に伴い前記導電体の螺旋部が伸縮する電気掃除機用伸縮パイプ。
【請求項３】  前記螺旋状の導電体の螺旋部の終端１〜５巻きの範囲の外径寸法を他の範囲より小さくした請求項１または２記載の電気掃除機用伸縮パイプ。
【請求項４】  前記排気管の前記第二の通気管側の内側端面に傾斜部を設けた請求項１〜３のいずれか１項に記載の電気掃除機用伸縮パイプ。
【請求項５】  電動送風機を内蔵する掃除機本体と、前記電動送風機の吸気側および排気側に一端が連通する請求項１〜４のいずれか１項に記載の電気掃除機用伸縮パイプと、前記電気掃除機用伸縮パイプの他端に接続する吸込具を有する電気掃除機。
【発明の詳細な説明】
【０００１】
【発明の属する技術分野】
本発明は、電動送風機の排気を吸込具に還流することで、被掃除面の塵埃除去に排気を利用する電気掃除機に関し、また、このような電気掃除機に用いる伸縮パイプの構造に関する。
【０００２】
【従来の技術】
従来、この種の電気掃除機用伸縮パイプとして、特開平１１−３０６６９２号公報に開示されたものがある。この電気掃除機用伸縮パイプを図１１〜図１２により説明する。図に示すように、延長管８は握り管６に着脱自在に係止される第一の通気管３８内に摺動自在に第二の通気管３９が保持され、第二の通気管３９の先端は吸込具７を着脱自在に係止している。
【０００３】
第一の通気管３８は内壁４１で上下２層の通気路、すなわち吸気通路Ａ３５と排気通路Ａ３６に区画されている。第二の通気管３９は通気管Ａ４２と通気管Ｂ４３に分離され、通気管Ａ４２は排気通路Ｂ４４、通気管Ｂ４３は吸気通路Ｂ４５を構成する。つまり、通気管Ａ４２と通気管Ｂ４３とは軸方向に隙間を設けて配し、通気管Ａ４２の一端側が第一の通気管３８の排気通路Ａ３６内で軸方向に摺動自在に挿入され、排気通路Ａ３６に接続されている。また、通気管Ｂ４３の一端側が第一の通気管３８の吸気通路Ａ３５内で軸方向に摺動自在に挿入され、吸気通路Ａ３５に接続している。
【０００４】
４６は螺旋状で伸縮自在な導電体Ｂであり、導電体Ｂ４６は通気管Ａ４２の排気通路Ｂ４４と第一の通気管３８の排気通路Ａ３６内に収容されている。この両端には接続端子（図示せず）が接続されており、延長管８を握り管６と吸込具７に接続した時、握り管６と吸込具７に設けた接続端子（図示せず）に電気的に接続した状態となる。
【０００５】
吸込具７前方には、電動機（図示せず）を内蔵した回転ブラシ５１が回転自在に保持されている。回転ブラシ５１は内蔵する電動機（図示せず）に回転駆動され、減速機（図示せず）を介して回転を伝達され、毎分１５００回転程度の回転をし、掃除面に付着した塵埃などを掻き上げる。
【０００６】
【発明が解決しようとする課題】
しかし、上記構成の電気掃除機用伸縮パイプでは、伸縮パイプを縮めると、螺旋状の導電体４６が使用中にたるみ変形し、螺旋部が通気管Ａ４２の端面に引っかかり縮められなくなる問題を発生させてしまう。
【０００７】
従って、螺旋状の導電体４６を排気通路内でスムーズに伸縮動作させるために、螺旋状の導電体４６の螺旋外径に制約され排気通路を大きくとる必要が生じ、伸縮パイプをコンパクトな構成にできないといった課題を有していた。
【０００８】
本発明は上記課題を解決するもので、伸縮パイプをコンパクトな構成にしつつ、螺旋状の導電体を排気通路内でスムーズに伸縮動作でき、かつ使い勝手を良好とする電気掃除機用伸縮パイプならびにその伸縮パイプを用いた電気掃除機を提供することを目的とする。
【０００９】
【課題を解決するための手段】
上記目的を達成するために本発明は、第一の通気管内を軸方向に摺動自在に伸縮動作する第二の通気管を有し、前記各通気管には、電動送風機へ吸引される吸気の吸気通路と、前記電動送風機から排出される排気の排気通路を設け、前記第一の通気管内部には、前記第二の通気管の排気通路内に挿入され軸方向に摺動して排気通路となる排気管を備え、前記第一の通気管内部の排気管を除く部分を吸気通路とし、前記第二の通気管の吸気通路と連通し、前記排気通路内に螺旋状の導電体を設け、前記螺旋状の導電体の両端部には直線部を有し、前記螺旋状の導電体の前記排気管の前記第二の通気管側での固定位置は、前記直線部の距離が螺旋部の終端から前記導電体の外径の１２倍以下の範囲の間で固定し、第一の通気管と第二の通気管の伸縮に伴い前記導電体の螺旋部が伸縮する構成とした。
【００１０】
この構成により、伸縮パイプを縮めていく際に螺旋状の導電体に加わっていた張力が減少し、導電体の直線部が波打って曲がろうとするのを螺旋部の終端から前記導電体の外径の１２倍以下の範囲の間で固定させて、直線部にこしを持たせることで無くすことができ、螺旋状の導電体が排気管内部にスムーズに入り、排気管の口径を螺旋状の導電体の螺旋外径より必要以上に大きくしなくて済、伸縮パイプをコンパクトな構成にでき、使い勝手を良好にできる。
【００１１】
【発明の実施の形態】
本発明の請求項１記載の発明は、第一の通気管内を軸方向に摺動自在に伸縮動作する第二の通気管を有し、前記各通気管には、電動送風機へ吸引される吸気の吸気通路と、前記電動送風機から排出される排気の排気通路を設け、前記第一の通気管内部には、前記第二の通気管の排気通路内に挿入され軸方向に摺動して排気通路となる排気管を備え、前記第一の通気管内部の排気管を除く部分を吸気通路とし、前記第二の通気管の吸気通路と連通し、前記排気通路内に螺旋状の導電体を設け、前記螺旋状の導電体の両端部には直線部を有し、前記螺旋状の導電体の前記排気管の前記第二の通気管側での固定位置は、前記直線部の距離が螺旋部の終端から前記導電体の外径の１２倍以下の範囲の間で固定し、第一の通気管と第二の通気管の伸縮に伴い前記導電体の螺旋部が伸縮する構成としたものである。
【００１２】
この構成により、伸縮パイプを縮めていく際に螺旋状の導電体に加わっていた張力が減少し、導電体の直線部が波打って曲がろうとするのを螺旋部の終端から前記導電体の外径の１２倍以下の範囲の間で固定させて、直線部にこしを持たせることで無くすことができ、螺旋状の導電体が排気管内部にスムーズに入り、排気管の口径を螺旋状の導電体の螺旋外径より必要以上に大きくしなくて済、伸縮パイプをコンパクトな構成にでき、使い勝手を良好にできる。
【００１３】
本発明の請求項２記載の発明は、第一の通気管内を軸方向に摺動自在に伸縮動作する第二の通気管を有し、前記各通気管には、電動送風機へ吸引される吸気の吸気通路と、前記電動送風機から排出される排気の排気通路を設け、前記第一の通気管内部には、前記第二の通気管の排気通路内に挿入され軸方向に摺動して排気通路となる排気管を備え、前記第一の通気管内部の排気管を除く部分を吸気通路とし、前記第二の通気管の吸気通路と連通し、前記排気通路内に螺旋状の導電体を前記排気管の中央付近を通る位置に配置し、第一の通気管と第二の通気管の伸縮に伴い前記導電体の螺旋部が伸縮する構成としたものである。
【００１４】
この構成により、螺旋状の導電体が排気管の中央付近に配置されているため、排気管内部にスムーズに入り、伸縮動作時に螺旋部が引っかかり無くスムーズに伸縮動作し、排気管の口径を螺旋状の導電体の螺旋外径より必要以上に大きくしなくて済、伸縮パイプをコンパクトな構成にでき、使い勝手を良好にできる。
【００１５】
本発明の請求項３記載の発明は、請求項１または２記載の発明において、前記螺旋状の導電体の螺旋部の終端１〜５巻きの範囲の外径寸法を他の範囲より小さくした構成としたものである。
【００１６】
この構成により、螺旋状の導電体が排気管内部にスムーズに入り、伸縮動作時に螺旋部が引っかかり無くスムーズに伸縮動作し、排気管の口径を螺旋状の導電体の螺旋外径より必要以上に大きくしなくて済、伸縮パイプをコンパクトな構成にでき、使い勝手を良好にできる。
【００１７】
本発明の請求項４記載の発明は、請求項１〜３のいずれか１項に記載の発明において、排気管の第二の通気管側の内側端面に傾斜部を設けた構成としたものである。
【００１８】
この構成により、螺旋状の導電体が排気管内部にスムーズに入り、伸縮動作時に螺旋部が引っかかり無くスムーズに伸縮動作し、排気管の口径を螺旋状の導電体の螺旋外径より必要以上に大きくしなくて済、伸縮パイプをコンパクトな構成にでき、使い勝手を良好にできる。
【００１９】
本発明の請求項５記載の発明は、電動送風機を内蔵する掃除機本体と、前記電動送風機の吸気側および排気側に一端が連通する請求項１乃至４のいずれか１項に記載の電気掃除機用伸縮パイプと、前記電気掃除機用伸縮パイプの他端に接続する吸込具を有する電気掃除機としたことにより、使い勝手が良く掃除作業性に優れた電気掃除機を提供することができる。
【００２０】
【実施例】
（実施例１）
以下、本発明の第１の実施例を、図を用いて説明する。
【００２１】
図１〜図７において、電気掃除機は、掃除機本体１の接続口３に、ホース４の接続管５を接続し、ホース４の他端側の握り管６に吸込具７を接続した伸縮パイプ（以下、延長管と称す）８を接続している。
【００２２】
掃除機本体１内の後方側には電動送風機２が内蔵され、接続口３と電動送風機２の間には、集塵室９が設けられている。１０は電動送風機２を覆っている防音筒で、防音筒の外周面には排気管１１の一端が接続されている。この排気管１１は、一部に蛇腹状部を有し、全体的には可撓性を持たせている。排気管１１の他端は接続口３側に接続され、電動送風機２の運転で排出される排気の一部を他端側の接続口３側に導いている。
【００２３】
接続口３と集塵室９間に挟持された逆止弁１２は、接続口３と集塵室９内とを気密に連通し、また前側には前記排気管１１が接続される略筒状の排気導入口１３が一体に形成されている。
【００２４】
接続管５は、内周に吸気通路を、外周に排気通路を形成する２層パイプ構造の接続パイプ１４と、この接続パイプ１４の外周側を覆う蓋１５と、接続パイプ１４と蓋１５に挟持された尾錠１６と、接続パイプ１４に一端側が回転自在に連結される回転パイプ１７を有している。回転パイプ１７にも接続パイプ１４と同様に内周に吸気通路を、外周に排気通路を形成した２層パイプ構造とし、回転パイプと接続パイプとの吸気通路同士および排気通路同士とを回転自在に接続している。尾錠１６はバネ１８で付勢されて、接続口３に接続管５を着脱自在に係止している。回転パイプ１７は、接続管５長手方向の軸回りに回転自在で、電気掃除機を使用中にホース４が捩れることを防止している。
【００２５】
接続パイプ１４の内管Ａ１９内と回転パイプ１７の内管Ｂ２０内とは、タイトパッキング２１で気密に連通し、内管Ａ１９外周部と内管Ｂ２０外周部も同様に気密に連通している。回転パイプ１７の外周側の接続パイプ１４上面には固定接点２２が前後方向に並んで固定されている。固定接点２２は回転パイプ１７と蓋１５で挟持された複数の接続端子（図示せず）に電気的に接続している。接続端子は、接続パイプ１４を接続口３に接続した状態で、掃除機本体１に配置した本体端子（図示せず）に電気的に接続する。固定接点２２の内側には固定接点２２に対向して同数のレール端子２３が略筒状のレール台２４に保持されて配置されている。このレール台２４は、回転パイプ１７の外周側に固定され、回転パイプ１７が接続管５長手方向の軸回りに回転すると、回転パイプ１７とともに回転し、常時固定接点２２とレール端子２３の電気的接続を維持している。
【００２６】
ホース４は、外ホース２５の内径より外径が径小な内ホース２６を収容した２層ホース構造で、内ホース２６の一端側が回転パイプ１７の内管Ｂ２０の反接続パイプ１４側に包着し、また、外ホース２５の一端側が反接続パイプ１４側の回転パイプ１７の外周面に包着して各々気密に接続してある。
【００２７】
握り管６は、内ホース２６の他端側を包着した内管２７Ａと外ホース２５の他端側を包着した外管２７Ｂとからなる２層管構造の連結管２７と、ホース４の他端側の包着部前方を収容し、前方側にかけて略くの字状に折曲しながら先端部で延長管８を着脱自在に接続する曲りパイプ２８と、曲りパイプ２８の折曲部上方の部品収容部２９と、この部品収納部２９に配置されたスイッチ基板３０と、このスイッチ基板３０を操作する操作部３１と、曲りパイプ２８の上方開口を覆った握り管カバー３２と、握り管カバー３２と曲りパイプ２８に揺動自在に挟持されて延長管８を着脱自在に係止する尾錠Ａ３３とを有している。曲りパイプ２８は、内壁３４で上下２層の通路に分割され、吸気通路Ａ３５は連結管２７の内管２７Ａに気密に連通しており、排気通路Ａ３６は連結管２７の内管２７Ａと外管２７Ｂ間の通路に気密に連通している。
【００２８】
導電体Ａ３７は、レール端子２３に接続された後、外ホース２５と回転パイプ１７の外周面の包着部間から外ホース２５と内ホース２６の間に導入され、他端側は外ホース２５と連結管２７の外管２７Ｂと外ホース２５包着部から導出され、部品収容部２９を通ってスイッチ基板３０に接続されている。
【００２９】
延長管８は握り管６の曲りパイプ２８に着脱自在に係止される第一の通気管３８内に摺動自在に第二の通気管３９が保持され、第二の通気管３９の先端は吸込具７の接続管４０を着脱自在に係止している。
【００３０】
第二の通気管３９は内壁４１で上下２層の通気路に区画されている。第一の通気管３８は、内部に内面と隙間を設けるように筒状の排気管４２を備えており、握り管６側と接続する一端側には電気接続部Ａ４３を設け、前記電気接続部Ａ４３近傍において孔４４を設けている。前記排気管４２は、握り管６側の一端を途中で上下２つの管に分離し、上排気管４５を前記孔４４から突出させ、下排気管４６を第一の通気管３８の端面まで伸ばした状態で、第一の通気管３８内部で保持されている。
【００３１】
したがって、排気管４２の他端側は遊端であり、この遊端側が第二の通気管３９の上部の通気路内に挿入される。第二の通気管３９は第一の通気管３８内部に入り込み、タイトパッキング４９で気密に連通して摺動自在に保持され、吸気通路Ｂ４８を構成している。また、排気管４２は第二の通気管３９の上層通路に入り込み、タイトパッキング４９で気密に連通し、摺動自在に保持されて排気通路Ｂ５０を構成している。
【００３２】
５１は螺旋状の導電体Ｂであり、螺旋状の導電体Ｂ５１は第二の通気管３９の排気通路Ｂ５０と排気管４２内部に収容され、一端は途中で上下２つの管に分離された排気管４２のうちの上排気管４５より導き出し、第一の通気管３８側の電気接続部Ａ４３に接続され、他端は、第二の通気管３９の吸込具７側に設けられた表示基盤５２及び電気接続部Ｂ５３に接続されている。
【００３３】
延長管８を握り管６と吸込具７に接続した時、握り管６と吸込具７に設けた接続端子（図示せず）に電気的に接続した状態となる。
【００３４】
５４は押し釦で、この押し釦５４の上下操作に連動して上下動する係止突起５５を有し、係止突起５５は第二の通気管３９の下面に位置し、軸方向に所定間隔をおいて複数形成した係止用凹部５６に弾接的に係合する構成である。この係止突起５５と係止用凹部５６とにより、第一の通気管３８に対する第二の通気管３９の出代を電気掃除機利用者の都合の良い長さに調節できる。なお、延長管８と握り管６の接続部の形状と、吸込具７と延長管８の接続部とは各々同じ形状に形成してあり、握り管６に直接吸込具７を接続して使用することができる。
【００３５】
吸込具７の構成は以下の通りである。吸込具７前方には、電動機５７を内蔵した回転ブラシ５８が回転自在に保持されている。回転ブラシ５８は内蔵する電動機５７に回転駆動され、減速機（図示せず）を介して回転を伝達され、毎分１５００回転程度の回転をする。回転ブラシ５８は下面に設けた吸込開口５９に臨み、周面に複数取り付けたブレードＡ６０、ブラシＢ６１が掃除面に付着した塵埃などを掻き上げる。６２は回転ブラシ５８の後方に形成した吸塵口で、上下方向に府仰自在な連結筒６３に連通している。６４は連結筒６３に左右方向に一定角度回転自在に接続された吸込具パイプで、パイプ壁６５で上下の２通路に区画されている。下方の吸気通路Ｃ６６は前方を前述の連結筒６３、後方を延長管８の吸気通路Ｂ４８に連通している。上方の排気通路Ｃ６７は、後方が延長管８の排気通路Ｂ５０に連通する一方、前方は可撓管６８、吸込具の上部から前部にわたり形成したバイパス（排気通路）６９を通じており、バイパス６９の終端には排気口７０を形成している。そして、電動送風機２の運転で排出される排気をバイパス６９の排気口７０から吸込開口５９方向に排出する。
【００３６】
次に上記構成による動作、作用について説明する。握り管６の操作部７１を操作して電動送風機２を運転すると、同時に導電体Ｂ５１を介して電動機５７に電力が供給され、電動機５７が回転ブラシ５８を回転駆動する。回転ブラシ５８は、被掃除面にある塵埃をブレードＡ６０、ブラシＢ６１が掻き上げる。
【００３７】
上記塵埃は、電動送風機２の吸引によって発生する吸気流で、吸込開口５９、吸塵口６２、連結筒６３、吸込具パイプ６４の吸気通路Ｃ６６、第二の通気管３９の吸気通路Ｂ４８、第一の通気管３８と曲りパイプ２８の吸気通路Ａ３５、内ホース２６、回転パイプ１７の内管Ｂ２０、接続パイプ１４の内管Ａ１９を経由して集塵室９内に移送され、ここに蓄積される。塵埃を分離した清浄な吸気流は、電動送風機２を通過後、防音筒１０内に排出される。
【００３８】
上記排気の少なくとも一部は、排気管１１、排気導入口１３、通孔６５を経由して接続パイプ１４の内管Ａ１９と接続パイプ１４の外周の間に導入された後、回転パイプ１７の内管Ｂ２０と外周の間、外ホース２５と内ホース２６の間、連結管２７の内管２７Ａと外管２７Ｂの間、曲りパイプ２８の排気通路Ａ３６と第一の通気管３８の排気通路Ｂ５０、吸込具７の排気通路Ｃ６７、可撓管６８、パイパス６９を通って排気口７０より吸込開口５９方向に排出される。この還流した排気が吸込具７と被掃除面との密着度合いを緩和して吸込具７の移動操作力を軽くする。同時に、被掃除面上の塵埃を吸塵口６２方向に吹き付け移送し、回転ブラシ５８の回転との相乗効果で集塵性能を向上させる。
【００３９】
ところで延長管８の第二の通気管３９の排気通路Ｂ５０と排気管４２内部に収容された螺旋状の導電体Ｂ５１の両端部には直線部７２を有し、螺旋状の導電体Ｂ５１の排気管４２の第二の通気管３９側での固定位置は、螺旋部の終端から導電体Ｂ５１の外径ｄ７３の１２倍以下の距離Ａ７４の直線部７２範囲までの間で固定し、第一の通気管３８と第二の通気管３９の伸縮に伴い導電体Ｂ５１の螺旋部が伸縮する構成とした。
【００４０】
この構成により、延長管８を縮めていく際に螺旋状の導電体Ｂ５１に加わっていた張力が減少し、導電体Ｂ５１の直線部７２が波打って曲がろうとするのを螺旋部の終端から導電体Ｂ５１の外径ｄ７３の１２倍以下の距離Ａ７４をもつ直線部７２で固定させて直線部７２にこしを持たせることで無くすことができ、螺旋状の導電体Ｂ５１が排気管４２内部にスムーズに入り、排気管４２の口径Ｄ７５を螺旋状の導電体Ｂ５１の螺旋外径Ｂ７６より必要以上に大きくしなくて済、延長管８をコンパクトな構成にでき、使い勝手を良好にできる。また、距離Ａ７４を外径ｄ７３の１２倍より大きくすると、螺旋状の導電体Ｂ５１が使用中にたるみ変形し、螺旋部が排気管４２の端面に引っかかり縮められなくなる問題を発生させてしまう。
【００４１】
（実施例２）
次に本発明の第２の実施例を図８を用いて説明する。なお、上記第１の実施例と同一構成部品については、同一符号を付して、その説明を省略する。
【００４２】
図８において排気通路Ｂ５０と排気管４２内部に収容された螺旋状の導電体Ｂ５１を排気管４２の中央付近を通る位置７７に固定し、第一の通気管３８と第二の通気管３９の伸縮に伴い導電体Ｂ５１の螺旋部が伸縮する構成としたものである。
【００４３】
この構成により、螺旋状の導電体Ｂ５１が排気管４２の中央付近に配置されているため、排気管４２内部にスムーズに入り、伸縮動作時に螺旋部が引っかかり無くスムーズに伸縮動作し、排気管４２の口径Ｄ７５を螺旋状の導電体Ｂ５１の螺旋外径Ｂ７６より必要以上に大きくしなくて済、延長管８をコンパクトな構成にでき、使い勝手を良好にできる。
【００４４】
（実施例３）
次に本発明の第３の実施例を図９を用いて説明する。なお、上記第１〜第２の実施例と同一構成部品については、同一符号を付して、その説明を省略する。
【００４５】
図９において、螺旋状の導電体Ｂ５１の螺旋部の終端１〜５巻き範囲７８の外径寸法Ｃ７９を他の範囲の外径寸法Ｂ７６より小さくした構成としたことにより、螺旋状の導電体Ｂ５１が排気管４２内部にスムーズに入り、伸縮動作時に螺旋部が引っかかり無くスムーズに伸縮動作し、排気管４２の口径Ｄ７５を螺旋状の導電体Ｂ５１の螺旋外径Ｂ７６より必要以上に大きくしなくて済、延長管８をコンパクトな構成にでき、使い勝手を良好にできる。
【００４６】
（実施例４）
次に本発明の第４の実施例を図１０を用いて説明する。なお、上記第１〜第３の実施例と同一構成部品については、同一符号を付して、その説明を省略する。
【００４７】
図１０において、排気管４２の端面に傾斜部８０を設けた構成としたことにより、螺旋状の導電体Ｂ５１が排気管４２内部にスムーズに入り、伸縮動作時に螺旋部が引っかかり無くスムーズに伸縮動作し、排気管４２の口径Ｄ７５を螺旋状の導電体Ｂ５１の螺旋外径Ｂ７６より必要以上に大きくしなくて済、延長管８をコンパクトな構成にでき、使い勝手を良好にできる。
【００４８】
【発明の効果】
本発明の請求項１記載の発明によれば、伸縮パイプを縮めていく際に螺旋状の導電体に加わっていた張力が減少し、導電体の直線部が波打って曲がろうとするのを螺旋部の終端から前記導電体の外径の１２倍以下の範囲の間で固定させて、直線部にこしを持たせることで無くすことができ、螺旋状の導電体が排気管内部にスムーズに入り、排気管の口径を螺旋状の導電体の螺旋外径より必要以上に大きくしなくて済、伸縮パイプをコンパクトな構成にでき、使い勝手を良好にできる。
【００４９】
本発明の請求項２記載の発明によれば、螺旋状の導電体が螺旋状の導電体が排気管の中央付近に配置されているため、排気管内部にスムーズに入り、伸縮動作時に螺旋部が引っかかり無くスムーズに伸縮動作し、排気管の口径を螺旋状の導電体の螺旋外径より必要以上に大きくしなくて済、伸縮パイプをコンパクトな構成にでき、使い勝手を良好にできる。
【００５０】
本発明の請求項３記載の発明によれば、螺旋状の導電体の螺旋部の終端１〜５巻きの範囲の外径寸法を少なくとも一方他の範囲より小さくしたことにより、螺旋状の導電体が排気管内部にスムーズに入り、伸縮動作時に螺旋部が引っかかり無くスムーズに伸縮動作し、排気管の口径を螺旋状の導電体の螺旋外径より必要以上に大きくしなくて済、伸縮パイプをコンパクトな構成にでき、使い勝手を良好にできる。
【００５１】
本発明の請求項４記載の発明によれば、排気管の第二の通気管側の内側端面に傾斜部を設けたことにより、螺旋状の導電体が排気管内部にスムーズに入り、伸縮動作時に螺旋部が引っかかり無くスムーズに伸縮動作し、排気管の口径を螺旋状の導電体の螺旋外径より必要以上に大きくしなくて済、伸縮パイプをコンパクトな構成にでき、使い勝手を良好にできる。
【００５２】
本発明の請求項５記載の発明によれば、使い勝手が良く掃除作業性に優れた電気掃除機を提供することができる。
【図面の簡単な説明】
【図１】
本発明の第１の実施例を示す電気掃除機の全体断面図
【図２】
同電気掃除機の掃除機本体の断面図
【図３】
同電気掃除機の掃除機本体前部の断面図
【図４】
同電気掃除機の握り管の断面図
【図５】
同電気掃除機の延長管の断面図
【図６】
同電気掃除機の吸込具の断面図
【図７】
同電気掃除機の延長管の要部断面図
【図８】
本発明の第２の実施例を示す電気掃除機の延長管の要部断面図
【図９】
本発明の第３の実施例を示す電気掃除機の延長管の要部断面図
【図１０】
本発明の第４の実施例を示す電気掃除機の延長管の要部断面図
【図１１】
従来の電気掃除機の延長管の断面図
【図１２】
同電気掃除機の全体断面図
【符号の説明】
１    掃除機本体
７    吸込具
４    ホース
８    延長管
３８  第一の通気管
３９  第二の通気管
４２  排気管
５１  導電体Ｂ
７３  外径ｄ
７４  距離Ａ
７５  口径Ｄ
７６  螺旋外径
７７  位置
７９  外径寸法Ｃ
８０  傾斜部